(57)【特許請求の範囲】
【請求項１】
空気取入れ口(１４ａ,１４ｂ,１８)から取り込まれた空気を、フィルタ(１５)を介して排気口から排出する空気清浄機本体(１１)と、
清掃部材(１３)を内部空間に収納可能になっており、上記空気清浄機本体(１１)の上記空気取入れ口(１４ａ,１４ｂ,１８)のうちの特定の空気取入れ口(１８)に着脱可能に接続されて、上記特定の空気取入れ口(１８)が上記内部空間に連通されると共に、上記内部空間に収納された上記清掃部材(１３)から除去された塵埃を含む空気が上記空気清浄機本体(１１)によって吸引される清掃部材収納ボックス(１２)と
を備え、
上記清掃部材収納ボックス(１２)は、
上記清掃部材(１３)に静電気を帯電させる帯電体(２２)と、
上記清掃部材(１３)に帯電している静電気を除電する除電体(２３)と
を含んでおり、
上記帯電体(２２)と上記除電体(２３)とは、上記清掃部材収納ボックス(１２)における上部の開口部(３２a)側から順次配置されている
ことを特徴とする空気清浄機ユニット。
【請求項２】
請求項１に記載の空気清浄機ユニットにおいて、
上記帯電体(２２)と上記除電体(２３)とは、一体に構成されている
ことを特徴とする空気清浄機ユニット。
【請求項３】
請求項１あるいは請求項２に記載の空気清浄機ユニットにおいて、
上記帯電体(２２)と上記除電体(２３)とは、絶縁体(３４)を介して一体に構成されている
ことを特徴とする空気清浄機ユニット。
【請求項４】
請求項１から請求項３までの何れか一つに記載の空気清浄機ユニットにおいて、
上記清掃部材収納ボックス(１２)の上記除電体(２３)よりも上記開口部(３２a)側とは反対側に、静電気が除電された上記清掃部材(１３)から塵埃を除去する塵埃除去部(２０)が設置されており、
上記塵埃除去部(２０)の内面には、静電気が除電された上記清掃部材(１３)から塵埃を掻き落とす櫛材(２４)が設けられている
ことを特徴とする空気清浄機ユニット。
【請求項５】
請求項４に記載の空気清浄機ユニットにおいて、
上記清掃部材収納ボックス(１２)の上記塵埃除去部(２０)よりも上記開口部(３２a)側とは反対側には、上記清掃部材(１３)から掻き落とされた塵埃を受けるダストボックス部(２１)が配置されている
ことを特徴とする空気清浄機ユニット。
【発明の詳細な説明】
【技術分野】
【０００１】
この発明は、モップユニット付きの空気清浄機ユニットに関する。
【背景技術】
【０００２】
静電気を利用した掃除機具として、特開平８‐３３６４９４号公報(特許文献１)のようなものがある。この従来の掃除機具は、図４に示すように、花瓶状の筒部１とハタキ部２と除電部３とで概略構成されている。ハタキ部２の把手４の先端部には細糸状の集塵部５が設けられている。
【０００３】
上記構成において、ハタキ部２と除電部３とを筒部１から取り外し、集塵部５を、図５に示すように、略Ｃ字型を有している被帯電部材６に挿入して摩擦することによって、集塵部５に静電気を帯電させる。尚、集塵部５は、空中で軽く左右に振ることによっても静電気を帯電させることができる。こうして、帯電した集塵部５を、掃除する箇所に接触させて塵や埃を吸い付ける。
【０００４】
埃や塵が付いたハタキ部２の集塵部５を、筒部１における開口部を塞ぐ除電布７の小孔８から筒部１内に挿入する。この時、集塵部５に帯電した静電気は、除電布７を通過する際に除電される。除電された集塵部５に付着した埃や塵は、筒部１内の突起物９に接触して取り除かれる。取り除かれた埃や塵は、円筒部１０に設置された吸引機(図示せず)内に集塵される。
【０００５】
しかしながら、上記従来の掃除機具においては、集塵部５に対する静電気の帯電は、筒部１から取り外したハタキ部２の集塵部５を、略Ｃ字型を有している被帯電部材６に挿入して摩擦することによって、あるいは、集塵部５を、空中で軽く左右に振ることによって行うようにしている。したがって、掃除を行う場合には、その都度ハタキ部２と除電部３とを筒部１から取り外して、上述したような帯電動作を行う必要があり、思い立ったら直ぐに掃除を行うことができないという問題がある。
【０００６】
また、上記被帯電部材６を用いた帯電法および集塵部５を振る帯電法の何れも、１回の摩擦や振りによる帯電量は少ないため何度も摩擦や振りを行うする必要があり、面倒であるという問題もある。
【先行技術文献】
【特許文献】
【０００７】
【特許文献１】特開平８‐３３６４９４号公報
【発明の概要】
【発明が解決しようとする課題】
【０００８】
そこで、この発明の課題は、モップに対して簡単に帯電させることができ、尚且つ大きな帯電量を得ることができるモップユニット付きの空気清浄機ユニットを提供することにある。
【課題を解決するための手段】
【０００９】
上記課題を解決するため、この発明の空気清浄機ユニットは、
空気取入れ口から取り込まれた空気を、フィルタを介して排気口から排出する空気清浄機本体と、
清掃部材を内部空間に収納可能になっており、上記空気清浄機本体の上記空気取入れ口のうちの特定の空気取入れ口に着脱可能に接続されて、上記特定の空気取入れ口が上記内部空間に連通されると共に、上記内部空間に収納された上記清掃部材から除去された塵埃を含む空気が上記空気清浄機本体によって吸引される清掃部材収納ボックスと
を備え、
上記清掃部材収納ボックスは、
上記清掃部材に静電気を帯電させる帯電体と、
上記清掃部材に帯電している静電気を除電する除電体と
を含んでおり、
上記帯電体と上記除電体とは、上記清掃部材収納ボックスにおける上部の開口部側から順次配置されている
ことを特徴としている。
【００１０】
上記構成によれば、清掃部材収納ボックスにおける上部の開口部側から帯電体と除電体とがこの順に配置されている。したがって、上記清掃部材収納ボックスの上記開口部から清掃部材を挿入した場合には、上記清掃部材に帯電している静電気は、最後に上記除電体を通過する際に除電される。こうして、上記清掃部材に付着している塵埃が簡単に除去可能になる。一方、埃塵が除去された上記清掃部材を上記開口部から引き抜いた場合には、最後に上記帯電体を通過する際に上記清掃部材に静電気が帯電される。こうして、上記清掃部材収納ボックスから引き抜いた上記清掃部材で直ちに次の掃除を行うことができる。
【００１１】
すなわち、上記清掃部材を上記清掃部材収納ボックスから引き抜くだけの一動作で、簡単に上記清掃部材に対する静電気の帯電を行うことができる。
また、１実施の形態の空気清浄機ユニットでは、
上記帯電体と上記除電体とは、一体に構成されている。
この実施の形態によれば、上記帯電体と上記除電体とが一体に構成されている。したがって、上記清掃部材を上記清掃部材収納ボックスに挿通させて引き抜くだけの一動作で、上記清掃部材に付着している埃や塵を除去した後に上記清掃部材に静電気を帯電させて、そのまま次の掃除を開始可能にできる。
【００１２】
また、１実施の形態の空気清浄機ユニットでは、
上記帯電体と上記除電体とは、絶縁体を介して一体に構成されている。
【００１３】
この実施の形態によれば、上記帯電体と上記除電体との間に絶縁体が介在されている。したがって、上記帯電体側から上記除電体側に流れる電流を遮断して、上記帯電体による帯電動作および上記除電体による除電動作を確実に且つ効率良く行うことができる。
【００１４】
また、１実施の形態の空気清浄機ユニットでは、
上記清掃部材収納ボックスの上記除電体よりも上記開口部側とは反対側に、静電気が除電された上記清掃部材から塵埃を除去する塵埃除去部が設置されており、
上記塵埃除去部の内面には、静電気が除電された上記清掃部材から塵埃を掻き落とす櫛材が設けられている。
【００１５】
この実施の形態によれば、上記清掃部材収納ボックスの上記除電体よりも下流側に塵埃除去部が設置されている。したがって、静電気が除電された上記清掃部材から上記塵埃が櫛材によって簡単に掻き落とされる。
【００１６】
また、１実施の形態の空気清浄機ユニットでは、
上記清掃部材収納ボックスの上記塵埃除去部よりも上記開口部側とは反対側に、上記清掃部材から掻き落とされた塵埃を受けるダストボックス部が配置されている。
【００１７】
この実施の形態によれば、上記清掃部材収納ボックスの上記塵埃除去部よりも下流側にダストボックス部が配置されている。したがって、上記塵埃除去部で除去された塵埃を、上記ダストボックス部で受けることができる。
【発明の効果】
【００１８】
以上より明らかなように、この発明の空気清浄機ユニットは、清掃部材収納ボックスにおける上部の開口部側から帯電体と除電体とをこの順に配置しているので、上記清掃部材収納ボックスの上記開口部から清掃部材を挿入した場合には、上記清掃部材に帯電している静電気は、最後に上記除電体を通過する際に除電される。したがって、上記清掃部材に付着している塵埃を簡単に除去することが可能になる。一方、埃塵が除去された上記清掃部材を上記開口部から引き抜く場合には、最後に上記帯電体を通過する際に上記清掃部材に静電気が帯電される。したがって、上記清掃部材収納ボックスから引き抜いた上記清掃部材で直ちに次の掃除を行うことができる。
【００１９】
すなわち、この発明によれば、上記清掃部材を上記清掃部材収納ボックスから引き抜くだけの一動作で、簡単に上記清掃部材に対する静電気の帯電を行うことができる。
【図面の簡単な説明】
【００２０】
【図１】この発明の空気清浄機ユニットにおける概略構成図である。
【図２】図１におけるモップ挿入部と塵埃除去部の上部との断面図である。
【図３】図２に示すモップ挿入部と塵埃除去部の上部との組立図である。
【図４】従来の静電気を利用した掃除機具の概略構成図である。
【図５】図４における集塵部に静電気を帯電させる方法の説明図である。
【発明を実施するための形態】
【００２１】
以下、この発明を図示の実施の形態により詳細に説明する。図１は、本実施の形態の空気清浄機ユニットにおける概略構成図である。
【００２２】
図１において、１１は空気清浄機本体であり、１２はモップ収納ボックスである。モップ収納ボックス１２の内部空間には、塵や埃を吸着したモップ１３が収納される。その際に、モップ１３に吸着された塵や埃が除去される。そして、モップ１３が収納されたモップ収納ボックス１２は、図１に示すように空気清浄機本体１１の側面に着脱可能に取り付けられて、モップ１３から除去された塵や埃を含むモップ収納ボックス１２内の空気が空気清浄機本体１１によって吸引される。尚、モップ収納ボックス１２は上記清掃部材収納ボックスの一例である。また、モップ１３は上記清掃部材の一例であり、他の例としてはハタキ等がある。
【００２３】
上記空気清浄機本体１１は、従来の空気清浄機と同様の基本構造を有している。すなわち、回転するファン(図示せず)によって空気清浄機本体１１の前面１１a下部および側面１１bの空気取入れ口１４a,１４bから取り込まれた空気は、フィルタ１５によって塵埃が除去された後、プラズマ放電部１６からイオン導管１７によって供給されるイオンによって除菌され、上面１１cの排気口(図示せず)から排出される。
【００２４】
本実施の形態においては、上記空気清浄機本体１１の一側下部には、モップ収納ボックス１２の内部空間に連通可能な上記特定の空気取入れ口としての接続口１８が設けられている。そして、この接続口１８を介して、モップ収納ボックス１２からの空気が、上記ファンの吸引力によってフィルタ１５の前面室に引き込まれる。こうして、フィルタ１５の前面室に引き込まれたモップ収納ボックス１２からの空気中の埃は、空気取入れ口１４a,１４bから取り込まれた空気中の塵埃と一緒にフィルタ１５によって除去される。
【００２５】
したがって、本実施の形態によれば、パーソナルコンピュータの上やテレビの画面等の気になる個所の埃等を拭き取ったモップ１３をモップ収納ボックス１２に収納して、空気清浄機本体１１を稼働させるだけで、部屋の空気を清浄すると同時に、モップ１３に吸着された塵や埃をモップ収納ボックス１２によって除去し、モップ収納ボックス１２内の空気中の埃を空気清浄機本体１１で除去することができるのである。
【００２６】
そのため、汚れたモップ１３をモップ収納ボックス１２に収納するだけで、手や部屋の空気を汚さずにモップ１３を手入れすることができ、他のことをしながらでも簡単に掃除することができる。さらに、モップ収納ボックス１２に収納されたモップ１３は、吸着された塵や埃は除去されているので、思い付いたときに直ぐに簡単に掃除を始めることができる。
【００２７】
上記モップ収納ボックス１２は、空気清浄機本体１１の側面に取り付けられた状態で上から順に、モップ挿入部１９,塵埃除去部２０およびダストボックス部２１で構成されている。モップ挿入部１９には、上から順に帯電体２２と除電体２３とが設置されている。そして、モップ収納ボックス１２にモップ１３を収納する際に、モップ挿入部１９を通過して塵埃除去部２０に挿入されようとするモップ１３は、最終的に除電体２３によって、帯電している静電気が除電される。その結果、モップ１３に吸着された塵や埃が落ち易くなり、塵埃除去部２０において簡単に除去可能になる。
【００２８】
また、上記モップ収納ボックス１２からモップ１３を取り出す際に、モップ挿入部１９を通過して外に取り出されようとするモップ１３は、最終的に帯電体２２によって静電気が帯電される。その結果、モップ１３の吸着力が回復して、直ぐに掃除を始めることが可能になる。
【００２９】
上記モップ収納ボックス１２の塵埃除去部２０には、その内壁から略垂直方向に中心軸に向かって延在する複数の櫛材２４が設けられている。そして、塵埃除去部２０にモップ１３が挿入されると、モップ１３の穂２５の部分が櫛材２４で梳かれて穂２５の繊維に付着している塵や埃が掻き落とされる。但し、この櫛材２４は無くとも、この発明の効果を奏することはできる。
【００３０】
上記モップ収納ボックス１２のダストボックス部２１には、ダストボックス(図示せず)が収納されており、このダストボックス内にモップ１３の穂２５から掻き落とされた塵や埃が集められる。上記ダストボックスは、空気清浄機本体１１の前後方向にモップ収納ボックス１２に対して抜き差し可能になっており、ダストボックス部２１に集められた塵や埃を捨てる場合に抜き出される。
【００３１】
また、上記ダストボックス部２１の空気清浄機本体１１側の側面２６には、空気清浄機本体１１の側面にモップ収納ボックス１２が取り付けられて二箇所の磁石２７a,２７bで固定された際に、空気清浄機本体１１側の接続口１８に接続される接続口２８が設けられている。そして、上記ダストボックスには、接続口２８に連通する開口(図示せず)が設けられ、この開口には、フィルタ２９が着脱可能に取り付けられる。尚、図１においては、フィルタ２９の取付箇所を簡略化して描いている。
【００３２】
こうして、上記ダストボックス部２１の内部空間は、上記ダストボックスの上記開口、ダストボックス部２１側の接続口２８、および、空気清浄機本体１１側の接続口１８を介して、空気清浄機本体１１の内部空間に連通される。その場合に、上記ダストボックスの上記開口にフィルタ２９を装着すれば、モップ１３の穂２５から掻き取られた塵や埃のうちフィルタ２９の目よりも大きな塵や埃着のみを上記ダストボックスに集めることができる。
【００３３】
上記モップ１３は、ポリプロピレン等の樹脂で形成された柄３０と、この柄３０に取り付けられたポリプロピレン等の帯電性を有する素材の網状繊維で成る穂２５とを含んで概略構成されている。この穂２５の部分は、モップ収納ボックス１２の帯電体２２との摩擦によって静電気が帯電される。また、上記網状繊維同士の摩擦によっても帯電させることができる。さらに、モップ収納ボックス１２の除電体２３によって、帯電している静電気が除電される。こうして、静電気が除電された穂２５に付着している塵や埃は、モップ収納ボックス１２の塵埃除去部２０に設けられた櫛材２４によって梳かれて簡単に上記ダストボックス内に脱落する。
【００３４】
以下、この発明の特徴であるモップ収納ボックス１２のモップ挿入部１９について、詳細に説明する。
【００３５】
図２は、上記モップ収納ボックス１２のモップ挿入部１９と塵埃除去部２０の上部との断面図である。また、図３は、モップ挿入部１９と塵埃除去部２０の上端部との組立図である。
【００３６】
上記モップ収納ボックス１２の外殻を成す筒状のケーシング３１の頂部は、ラッパ状の開口部３２aを有する筒状のトップカバー３２で覆われている。トップカバー３２の円筒部３２bには、例えばナイロン６で形成された円筒状の帯電体２２が収納されている。また、トップカバー３２の開口部３２aには、モップ収納ボックス１２の中心軸方向に延在する細長い開口溝３３が複数設けられている。こうして、ケーシング３１とトップカバー３２の円筒部３２bとの間の空間は、複数の開口溝３３を介して外部に連通している。
【００３７】
上記トップカバー３２における円筒部３２bの下部は、例えばニトリルゴムで形成された円筒状の上記絶縁体としての絶縁ゴム３４の内面に密着して挿通されている。また、絶縁ゴム３４には、下端部に入り口を有する特定幅の円形溝３４aが形成されている。さらに、絶縁ゴム３４の下端には、上記中心軸に向かって延在して円筒部３２bの下端を支える鍔部３４bが形成されている。
【００３８】
上記除電体２３は、例えばカーボンが混入されたＡＢＳ樹脂等で形成されると共に上下両端に上張出部３５aおよび下張出部３５bを有する導電性樹脂体３５と、導電性樹脂体３５の外周面における上張出部３５aと下張出部３５bとの間の段差部に巻き付けられた除電シート３６とで、概略構成されている。
【００３９】
上記導電性樹脂体３５における上張出部３５aの外周部には、上方に向かって延在する上記特定幅の円筒部３５cが設けられている。この円筒部３５cは、絶縁ゴム３４の円形溝３４a内に密着して挿入されており、導電性樹脂体３５,トップカバー３２および帯電体２２が絶縁ゴム３４を介して一体に構成されている。
【００４０】
このように、上記モップ挿入部１９には、開口部３２a側から順に帯電体２２,絶縁ゴム３４および除電体２３が、モップ収納ボックス１２の中心軸に沿って一体に配置されている。したがって、モップ１３における静電気が帯電している穂２５を、開口部３２aから塵埃除去部２０まで帯電体２２および除電体２３を介して挿通することによって、穂２５に帯電している静電気は除電体２３を通過する際に除電される。一方、塵埃除去部２０で埃や塵が除去された穂２５を、塵埃除去部２０から開口部３２aまで除電体２３および帯電体２２を介して引き抜くことによって、帯電体２２を通過する際に穂２５に静電気が帯電される。したがって、モップ１３の穂２５を開口部３２aから塵埃除去部２０まで挿通させて引き抜くだけの一動作で、穂２５に付着している埃や塵を除去した後に穂２５に静電気を帯電させて、そのまま次の掃除を開始可能にできるのである。
【００４１】
その際に、上記帯電体２２と除電体２３との間には絶縁ゴム３４が介在しており、帯電体２２と除電体２３との間が絶縁されている。したがって、帯電体２２側から除電体２３側に流れる電流を遮断して、帯電体２２による帯電動作および除電体２３による除電動作を確実に且つ効率良く行うことができるのである。
【００４２】
ここで、上記穂２５を開口部３２aから塵埃除去部２０まで挿通する際に、穂２５は、先ず、除電体２３よりも開口部３２a側に在る帯電体２２によって静電気が帯電されることになる。そこで、除電体２３は、予め穂２５に帯電している静電気と帯電体２２によって付加される静電気との合計量の静電気を除電できる除電能力を有している必要がある。
【００４３】
また、上記除電体２３の導電性樹脂体３５における下張出部３５bの外周部には、一定の間隔で下方に延在する脚部３７が設けられている。さらに、下張出部３５bにおける脚部３７の間には、トップカバー３２の開口溝３３から取り込まれた空気を塵埃除去部２０へ送るための切欠き３８(図３参照)が設けられている。また、塵埃除去部２０は、上部にラッパ状の開口部３９aを有する円筒状のインナーフレーム３９と、このインナーフレーム３９に挿通される円筒状の筒体４０とを含んで構成されている。そして、導電性樹脂体３５の下張出部３５bは、インナーフレーム３９における開口部３９aの内周面に当接し、脚部３７は、筒体４０の上端面に載置される。こうして、導電性樹脂体３５における張出部３５bの切欠き３８を通って、ケーシング３１とトップカバー３２との間の空間から塵埃除去部２０の筒体４０内に至る空気の流路を確保するのである。
【００４４】
また、上述のごとく、上記帯電体２２と除電体２３とを絶縁ゴム３４を介して積層することによって、絶縁ゴム３４による絶縁を、円筒部３５cの上記中心軸方向への長さの分だけ広い範囲で行うことができる。したがって、帯電体２２と除電体２３との間の確実な絶縁と、モップ挿入部１９の高さの低減とを行うことができるのである。
【００４５】
もし、上記帯電体２２と除電体２３との間の絶縁を、単に帯電体２２の下端と除電体２３の上端との間に絶縁ゴムを挟持することによって行った場合には、充分な絶縁性能を得るには上記絶縁ゴムの高さを高くする必要があり、モップ挿入部１９の高さが高くなってしまう。
【００４６】
上記除電体２３における上張出部３５aと下張出部３５bとの間の段差部には、除電シート３６が巻き付けられている。この除電シート３６は、短い導電性繊維を織り込んだシート状体であり、上記導電性繊維の先端からのコロナ放電によって、導電性樹脂体３５から伝達された静電気を外部に放出する。
【００４７】
ところで、上述のように、上記除電シート３６は、短い導電性繊維をシート状に織り込んで構成されており、表面はコロナ放電を促すために毛羽立っている。そのため、モップ１３の穂２５を除電するために、除電シート３６に直接穂２５を擦り付けると、上記毛羽が摩擦で脱落して徐々に放電効率が低下してしまう。
【００４８】
しかしながら、本実施の形態によれば、上記導電性樹脂体３５の外周面に沿って除電シート３６を巻き付けている。したがって、モップ１３の穂２５で擦られることがなく、穂２５との摩擦で除電シート３６の上記毛羽が脱落して放電効率が低下することが防止される。
【００４９】
また、上記除電シート３６は、導電性樹脂体３５の上下の張出部３５a,３５bの間の段差部に巻き付けられている。したがって、上記段差部を設けない場合に比較して除電シート３６とケーシング３１との間隔を広く取ることができ、ケーシング３１に帯電させることなく上記コロナ放電を効果的に行うことができる。さらに、除電シート３６を導電性樹脂体３５の外周面に巻き付ける際に、張出部３５a,３５bの案内で正しく容易に巻き付けることができ、且つ巻き付けられた除電シート３６が解けないように保持することができる。
【００５０】
また、上述したように、本実施の形態においては、上記導電性樹脂体３５の下張出部３５bに、切欠き３８を設けている。したがって、トップカバー３２の開口溝３３から取り込まれた空気を、切欠き３８を介して速やかに塵埃除去部２０の筒体４０内に送ることができる。その結果、モップ挿入部１９に挿入されたモップ１３の穂２５によって、帯電体２２および除電体２３が閉塞されても、外部の空気を塵埃除去部２０の筒体４０内に導くことができ、空気清浄機本体１１によって筒体４０内の空気が吸引された場合の外気の補給をスムーズに且つ確実に行うことができる。
【００５１】
また、本実施の形態においては、上記除電体２３の下流側に位置する塵埃除去部２０の筒体４０内に、複数の櫛材２４を設けている。したがって、除電体２３によって静電気が除去されたモップ１３の穂２５から、塵や埃を簡単に櫛材２４によって掻き落とすことができる。
【００５２】
さらに、上記塵埃除去部２０の下側(下流側)にダストボックス部２１を設けている。したがって、塵埃除去部２０において除去された塵や埃をダストボックス部２１で受け、上記ダストボックスに溜まった塵や埃を捨てることができる。また、上記ダストボックスのフィルタ２９および空気清浄機本体１１側の接続口１８を介して空気清浄機本体１１に吸引された埃や花粉やダニ等を、空気清浄機本体１１側のフィルタ１５によって除去した後に上記イオンによって除菌することができる。
【００５３】
尚、本実施の形態においては、上記導電性樹脂体３５の下張出部３５bに形成された切欠き３８によって、トップカバー３２の開口溝３３から取り込まれた空気を塵埃除去部２０の筒体４０内に送るようにしている。しかしながら、この発明はこれに限定するものではなく、下張出部３５bに複数の開口穴を設けてもよい。あるいは、導電性樹脂体３５の下張出部３５bに設けられた脚部３７をインナーフレーム３９における傾斜する開口部３９aの内周面に載置して、脚部３７の間を空気通路とすることも可能である。また、脚部３７は、導電性樹脂体３５の下端部に直接設けても差し支えない。
【００５４】
また、本実施の形態においては、上記塵埃除去部２０の筒体４０内に、静電気が除去されたモップ１３の穂２５から塵や埃を掻き落とすための櫛材２４を設けている。しかしながら、この発明においては、櫛材２４は必ずしも必要ではなく、空気清浄機本体１１の吸引力のみでも充分に、静電気が除去されたモップ１３の穂２５から塵や埃を除去することができる。
【符号の説明】
【００５５】
１１…空気清浄機本体、
１２…モップ収納ボックス、
１３…モップ、
１５,２９…フィルタ、
１６…プラズマ放電部、
１８…空気清浄機本体側の接続口、
１９…モップ挿入部、
２０…塵埃除去部、
２１…ダストボックス部、
２２…帯電体、
２３…除電体、
２４…櫛材、
２５…モップの穂、
２７a,２７b…磁石、
２８…モップ収納ボックス側の接続口、
３１…ケーシング、
３２…トップカバー、
３２a…トップカバーの開口部、
３２b…トップカバーの円筒部、
３３…開口溝、
３４…絶縁ゴム、
３４a…絶縁ゴムの円形溝、
３４b…絶縁ゴムの鍔部、
３５…導電性樹脂体、
３５a,３５b…導電性樹脂体の張出部、
３５c…導電性樹脂体の円筒部、
３６…帯電シート、
３７…導電性樹脂体の脚部、
３８…切欠き、
３９…インナーフレーム、
３９a…インナーフレームの開口部、
４０…筒体。
【図１】
0005447553.tif 000002
【図２】
0005447553.tif 000003
【図３】
0005447553.tif 000004
【図４】
0005447553.tif 000005
【図５】
0005447553.tif 000006